(57)【特許請求の範囲】
【請求項１】
利用者の歌唱音声に基づいて歌唱時の消費カロリーを算出し、当該歌唱消費カロリーに基づいて、当該利用者の利用者ＩＤに関連づけられているキャラクタを特定して表示するキャラクタ表示機能を備えるカラオケシステムであって、
キャラクタレベル特定テーブル、変化キャラクタ記憶部、利用者別キャラクタ登録部、利用者別カロリー記録部、増減カロリー算出手段、変化キャラクタ対応付処理手段を有するものであり、
前記キャラクタレベル特定テーブルは、増減カロリー範囲と、カロリーの増減に応じたキャラクタ形態のレベルが対応付けられて記憶され、
前記変化キャラクタ記憶部は、キャラクタＩＤ毎に、カロリーの増減に応じたキャラクタ形態のレベルに基づく変化キャラクタが所定数記憶され、
前記利用者別キャラクタ登録部は、利用者により選択された前記変化キャラクタ記憶部に記憶される所定の変化キャラクタに対応する、キャラクタＩＤと当該利用者の利用者ＩＤとが関連付けられて登録され、
前記利用者別カロリー記録部は、利用者ＩＤ毎に、少なくとも所定のタイミングで算出された増減カロリーが記録され、
前記増減カロリー算出手段は、利用者ＩＤ毎に、前記利用者別カロリー記録部に記録された過去分の増減カロリーと、所定期間毎に設定された仮想の摂取カロリー及び経過期間に基づく累積摂取カロリーと、歌唱毎に消費する累積消費カロリーとにより、所定のタイミングで増減カロリーを算出し、
前記変化キャラクタ対応付処理手段は、前記利用者別カロリー記録部に記録された増減カロリーに基づき、キャラクタ特定テーブルの増減カロリー範囲に対応するキャラクタ形態のレベルを取得し、前記利用者別カロリー記録部に記録された当該利用者の利用者ＩＤに関連付けられているキャラクタＩＤに基づき、前記変化キャラクタ記憶部に記憶されている、当該レベルの変化キャラクタを特定する、
ことを特徴とするキャラクタ表示機能を備えるカラオケシステム。
【請求項２】
請求項１記載のキャラクタ表示機能を備えるカラオケシステムであって、前記増減カロリー算出手段における前記増減カロリー算出のタイミングは、前記利用者の所定数の歌唱毎であることを特徴とするキャラクタ表示機能を備えるカラオケシステム。
【請求項３】
請求項１記載のキャラクタ表示機能を備えるカラオケシステムであって、前記増減カロリー算出手段における前記増減カロリー算出のタイミングは、前記利用者のシステムログアウト時であることを特徴とするキャラクタ表示機能を備えるカラオケシステム。
【請求項４】
請求項１記載のキャラクタ表示機能を備えるカラオケシステムであって、前記増減カロリー算出手段における前記増減カロリー算出のタイミングは、所定期間毎であることを特徴とするキャラクタ表示機能を備えるカラオケシステム。
【発明の詳細な説明】
【技術分野】
【０００１】
本発明は、歌唱時の消費カロリーに関連した模擬体型のキャラクタを変化させて表示させるキャラクタ表示機能を備えるカラオケシステムに関する。
【背景技術】
【０００２】
近年、カラオケシステムにおいては、カラオケ施設の利用喚起、歌唱喚起のためのサービスが種々提供されてきている。その中でも利用者ＩＤで関連付けられた顔写真を表示させることや、利用者の分身として作成され若しくは設定されたアバターを表示させることも行われてきている。このようなカラオケ施設の利用喚起、歌唱喚起のためのサービスとしては、利用者にさらなる興味を惹くサービスの提供が望まれる。
【０００３】
従来、カラオケ楽曲の歌唱に関連してキャラクタ表示させる技術が下記の特許文献に開示されている。特許文献１には、歌唱者毎にキャラクタに関する画像が設定され、歌唱動作に基づいて設定された曲名、歌唱回数、採点結果、応援者等の基礎データを歌唱動作毎に累積的に記録カードに格納し、複数の寄贈データ或いは各基礎データの組み合わせから少なくとも１つ以上のパラメータを設定して当該各パラメータ値に応じて異なる画像を選択的に表示させるもので、具体的には、表１に示されているように設定されたキャラクタに付加的なものを合成して表示することが開示されている。
【０００４】
【特許文献１】特開２００２−０４１０６３号公報
【発明の開示】
【発明が解決しようとする課題】
【０００５】
ところで、特許文献１に開示されているものは、表示させるキャラクタにシチュエーションなどの他の映像を付加するものであるが、キャラクタ自体が変化するものではない。すなわち、歌唱行為が健康増進に寄与するものとして歌唱が提唱されており、健康増進のための歌唱行為からすれば、上記特許文献１では当該健康増進と表示されるキャラクタとの関連性を持たせることはできない。
【０００６】
そこで、本発明は上記課題に鑑みなされたもので、歌唱行為による健康増進の見知からキャラクタ表示させることでカラオケ施設の利用喚起、歌唱喚起を図るキャラクタ表示機能を備えるカラオケシステムを提供することを目的とする。
【課題を解決するための手段】
【０００７】
上記課題を解決するために、請求項１の発明では、利用者の歌唱音声に基づいて歌唱時の消費カロリーを算出し、当該歌唱消費カロリーに基づいて、当該利用者の利用者ＩＤに関連づけられているキャラクタを特定して表示するキャラクタ表示機能を備えるカラオケシステムであって、キャラクタレベル特定テーブル、変化キャラクタ記憶部、利用者別キャラクタ登録部、利用者別カロリー記録部、増減カロリー算出手段、変化キャラクタ対応付処理手段を有するものであり、前記キャラクタレベル特定テーブルは、増減カロリー範囲と、カロリーの増減に応じたキャラクタ形態のレベルが対応付けられて記憶され、前記変化キャラクタ記憶部は、キャラクタＩＤ毎に、カロリーの増減に応じたキャラクタ形態のレベルに基づく変化キャラクタが所定数記憶され、前記利用者別キャラクタ登録部は、利用者により選択された前記変化キャラクタ記憶部に記憶される所定の変化キャラクタに対応する、キャラクタＩＤと当該利用者の利用者ＩＤとが関連付けられて登録され、前記利用者別カロリー記録部は、利用者ＩＤ毎に、少なくとも所定のタイミングで算出された増減カロリーが記録され、前記増減カロリー算出手段は、利用者ＩＤ毎に、前記利用者別カロリー記録部に記録された過去分の増減カロリーと、所定期間毎に設定された仮想の摂取カロリー及び経過期間に基づく累積摂取カロリーと、歌唱毎に消費する累積消費カロリーとにより、所定のタイミングで増減カロリーを算出し、前記変化キャラクタ対応付処理手段は、前記利用者別カロリー記録部に記録された増減カロリーに基づき、キャラクタ特定テーブルの増減カロリー範囲に対応するキャラクタ形態のレベルを取得し、前記利用者別カロリー記録部に記録された当該利用者の利用者ＩＤに関連付けられているキャラクタＩＤに基づき、前記変化キャラクタ記憶部に記憶されている、当該レベルの変化キャラクタを特定する、構成である。
【０００８】
請求項２〜４の発明では、前記増減カロリー算出手段における前記増減カロリー算出のタイミングは、前記利用者の所定数の歌唱毎、又は前記利用者のシステムログアウト時、又は所定期間毎とする構成である。
【発明の効果】
【０００９】
本発明によれば、利用者ＩＤに関連付けてカロリーの増減に応じたキャラクタ形態のレベルで体重増減形態が変化する所定の変化キャラクタが選択されて登録されるものであり、利用者ＩＤ毎に、過去分の増減カロリーと、所定期間毎に設定された仮想の摂取カロリーに基づく経過期間における累積摂取カロリーと歌唱毎に消費する累積消費カロリーとにより所定タイミングで算出された増減カロリーに基づきキャラクタ特定テーブルを参照して取得されるキャラクタ形態のレベルに基づいて当該利用者ＩＤに関連付けて登録された変化キャラクタに対応する当該レベルの変化キャラクタを対応付ける構成とすることにより、歌唱行為による健康増進の見知でキャラクタ自体を変化させて表示させることができ、カラオケ施設の利用喚起、歌唱喚起を図ることができるものである。
【発明を実施するための最良の形態】
【００１０】
以下、本発明の最良の実施形態を図により説明する。
図１に、本発明に係るキャラクタ表示機能を備えるカラオケシステムのブロック構成図を示す。図１において、キャラクタ表示機能を備えるカラオケシステム１１は、主要装置としてのカラオケ演奏装置１２に、有線及び無線で外部接続されるものとして、表示部１３及びミキシングアンプ１４及びマイク１５が接続され、当該ミキシングアンプ１４にマイク１５、スピーカ１６が接続される。また、無線形態（有線形態でもよい）で遠隔入出力端末１７が接続され、当該遠隔入出力端末１７は基本性能の他に、少なくとも利用者ＩＤ取得手段１８及び表示部１９を備える。
【００１１】
上記表示部１３は、通常の楽曲選曲表示やカラオケ演奏時の映像、歌詞テロップを表示する他に、歌唱に関連した変化キャラクタを表示するもので、例えば液晶ディスプレイ（ＬＣＤ）、プラズマディスプレイ（ＰＤＰ）、その他種々のディスプレイを採用することができる。上記ミキシングアンプ１４は、カラオケ演奏装置１２より送られてくる演奏データとマイク１５からの音声信号をミキシングし、増幅してスピーカ１６より出力する。
【００１２】
上記遠隔入出力端末１７は、ユーザインタフェース機能を備えて対応のカラオケ演奏装置１２（後述の送受信部３０）に対して有線方式ないし無線方式（ＩＲ方式やブルートゥース（登録商標）機構のピコネット接続方式など）を利用してデータ授受を行うためのもので、そのための回路基板及びプログラムを備える。上記ユーザインタフェース機能としては、端末表示部１９としての液晶ディスプレイ（ＬＣＤ）とタッチセンサとを積層して入出力用とし、表示されるアイコン等に対応して当該タッチセンサにより楽曲の選択などのデータを入力することができるＧＵＩである。
【００１３】
また、遠隔入出力端末１７の備える利用者ＩＤ取得手段１８は、利用者の所持するＩＣカード等からログイン時に当該利用者の利用者ＩＤを取得する電子回路乃至プログラムである。なお、利用者ＩＤ取得手段１８を、遠隔入出力端末１７と別体として設けてもよく、カラオケ演奏装置１２に備えさせてもよい。
【００１４】
上記カラオケ演奏装置１２は、バス２１、中央制御部２２、ＲＯＭ２３、ＲＡＭ２４、楽曲ＤＢ（楽曲データベース）２５、映像ＤＢ（映像データベース）２６、音楽曲出力部２７、再生制御部２８、増減カロリー算出手段２９、送受信部３０、変化キャラクタ対応付処理手段３１及び記憶部３２を適宜備える。当該記憶部３２にはキャラクタレベル特定テーブル３３、変化キャラクタ記憶部３４、利用者別キャラクタ登録部３５及び利用者別カロリー記録部３６が記憶される。
【００１５】
上記中央制御部２２は、このシステムを統括的に処理制御する物理的なＣＰＵであり、ＲＯＭ２３に記憶されているプログラムに基づくアルゴリズム処理を行う。上記ＲＡＭ２４は、種々のプログラムを展開、実行させるための作業領域としての役割をなすと共に、所定のメモリ領域に予約楽曲を順次登録する予約待ち行列が形成されるもので、例えば半導体メモリで構成され、仮想的にハードディスク上に構築される場合をも含む概念である。
【００１６】
上記楽曲ＤＢ２５は、楽曲ＩＤで管理される所定データ形式のカラオケ楽曲の演奏データを所定数格納するデータベースであり、映像ＤＢ２６に格納された当該楽曲毎の背景映像を表示するための所定数のシーン映像を割り当てる割当データが関連付けられる。当該映像ＤＢ２６は、背景映像表示のための所定数のシーン映像データを所定数格納するデータベースである。なお、この楽曲ＤＢ２５及び映像ＤＢ２６を、カラオケ演奏装置１２ではなく、通信ネットワークを介してアクセス可能なホスト装置に備えさせることとしてもよい。
【００１７】
上記音楽曲出力部２７は、楽曲コードで楽曲ＤＢ２５より抽出された演奏データをデジタル再生し、アナログ変換してミキシングアンプ１４に出力する電子回路である。上記再生制御部２８は、演奏時に、映像ＤＢ２６より抽出された所定数のシーン映像データ及び歌詞テロップデータ（歌詞文字データ）を当該楽曲の演奏データに同期させて表示部１３に出力する他に、後述の変化キャラクタ対応付処理手段３１で対応付けられた変化キャラクタを表示部１３で表示させる電子回路である。
【００１８】
上記増減カロリー算出手段２９は、任意の楽曲を歌唱した際の前記入力した歌唱音声に基づき当該歌唱による消費カロリーを算出すると共に、利用者ＩＤ毎に、前記利用者別カロリー記録部に記録された過去分の増減カロリーと、所定期間毎に設定された仮想の摂取カロリー及び経過期間に基づく累積摂取カロリーと、歌唱毎に消費する累積消費カロリーとにより、所定のタイミングで増減カロリーを算出し、当該増減カロリーを利用者別カロリー記録部３６に記録するプログラム乃至電子回路であり、当該プログラムはＲＡＭ２４に展開されて実行される。歌唱による消費カロリーの算出は、例えば、特許第３０８８７０１号公報に記載されたものが適用できる。なお、本実施形態では、累積摂取カロリーを算出するにあたって期間を一例として１日単位とし、１日における仮想の摂取カロリーを一例として３０Ｋｃａｌとしている。
【００１９】
ここで、上記増減カロリー算出手段２９における増減カロリー算出のタイミングは、利用者による所定数の歌唱毎、利用者のシステムログアウト時若しくは所定期間毎とされる。この実施形態では、増減カロリー算出のタイミングを利用者による所定数の歌唱毎とする場合を図６で説明し、システムログアウト時とする場合を図９で説明する。なお、図をもって詳説しないが、増減カロリー算出のタイミングを所定期間毎とする場合とは、利用者がログインしたか否かに拘わらず、予め設定した期間（例えば、１日毎、数日毎、１週間毎、数週間毎、１月毎等）が経過したときに、その期間までの後述する累積摂取カロリーと累積消費カロリーとにより増減カロリーを算出することである。
【００２０】
上記送受信部３０は、遠隔入出力端末１７との間で有線方式ないし無線方式（ＩＲ方式やブルートゥース機構のピコネット接続方式など）を利用してデータ授受を行うためのもので、そのための電子回路及びプログラムである。
【００２１】
相前後するが、記憶部３２に記憶されているキャラクタレベル特定テーブル３３は、図２で説明するが、増減カロリー範囲と、カロリーの増減に応じたキャラクタ形態のレベルが対応付けられて記憶されたものである。上記記憶部３２に記憶されている変化キャラクタ記憶部３４は、キャラクタＩＤ毎に、カロリーの増減に応じたキャラクタ形態のレベルに基づく変化キャラクタが所定数記憶されるもので、例えば、体重減方向の複数の変化キャラクタと体重増方向の複数の変化キャラクタをセット（図３（Ａ）で説明する）として複数用意され、この中の基本形態（図３（Ａ）のレベル０）を利用者が適宜選択するものである。
【００２２】
上記利用者別キャラクタ登録部３５には、利用者毎に、上記変化キャラクタ記憶部３４から選択された所定の変化キャラクタが利用者ＩＤに関連付けられて登録される（図３（Ｂ）で説明する）。当該記憶部３２に記憶される上記利用者別カロリー記録部３６には、利用者ＩＤ毎に、少なくとも所定タイミングで算出された増減カロリーが記録される（図４で説明する）。
【００２３】
符号を戻って説明するに、上記変化キャラクタ対応付処理手段３１は、上記利用者別カロリー記録部３６に記録された増減カロリーに基づき、キャラクタ特定テーブル３３の増減カロリー範囲に対応するキャラクタ形態のレベルを取得し、利用者別カロリー記録部３６に記録された当該利用者の利用者ＩＤに関連付けられているキャラクタＩＤに基づき、変化キャラクタ記憶部３４に記憶されている、当該レベルの変化キャラクタを特定するプログラムであり、ＲＡＭ２４に展開されて実行される。
【００２４】
ここで、図２に、図１のキャラクタレベル特定テーブルの説明図を示す。図２において、記憶部３２に記憶されているキャラクタレベル特定テーブル３３は、増減カロリー（Ｋｃａｌ）の範囲とレベル度とが対応付けされたものである。増減カロリーとは、利用者が利用者ＩＤに関連付けてキャラクタ表示を設定したときからの歌唱による消費カロリーを累積した累積消費カロリーと所定期間（ここでは１日単位としている）毎に仮想的に摂取する摂取カロリーを累積したる移籍摂取カロリーとから関連付けた値であり、適宜設定したカロリー範囲で割り振られる。また、レベル度とは、変化キャラクタ（図３（Ａ）で説明する）の体重増減形態を特定するレベル値であり、レベルゼロを基準としてマイナス方向とプラス方向とに段階的に設定したものである。ここでは、一例として１００Ｋｃａｌ毎の範囲でレベル度を対応付けている。
【００２５】
続いて、図３に、図１の利用者別キャラクタ登録部の説明図を示す。図３（Ａ）において、変化キャラクタ記憶部３４には、変化キャラクタ（イメージデータ）が、レベル０を基準体型又は基準容姿の基本形態としてマイナス方向のレベル度に従って順次体重減形態で作成され、プラス方向のレベル度に従って順次体重増形態で作成されたものがセットとしてキャラクタＩＤ毎に予め複数種記憶されるもので、これらのレベル度が上記キャラクタレベル特定テーブル３３と対応付けられるものである。
【００２６】
そして、図３（Ｂ）に示すように、利用者毎に、上記変化キャラクタの基準体型又は基準容姿の基準形態から利用者に適宜選択させ、選択された変化キャラクタのキャラクタＩＤと、利用者ＩＤを関連付けて利用者別キャラクタ登録部３５に登録するものである。なお、利用者が変化キャラクタの基本形態を登録するにあたり、各部（例えば、頭部、胴部、手足等）や服装などを変化キャラクタ記憶部３４に記憶させておき、利用者の組み合せで選択させるいわゆるカスタムメイドとしてもよい。
【００２７】
なお、変化キャラクタを、上記のように基本形態に対応させて複数用意する他に、特に図示しないが、座標値に応じて体重増減形態が変化する２次元データ若しくは３次元データの基本形態のみで構成してもよい。例えば、３ＤのＣＧ（コンピュータグラフィックス）として３次元のローカル座標を定義し、当該３次元のローカル座標に移動量の変数を与えることにより体重増減形態を表現することができるものである。例えばキャラクタレベル特定テーブル３３にキャラクタカロリーの所定の範囲に対応した変数レベル値を設定しておくことで実現することができるものである。
【００２８】
この場合、上記体重増減形態を表現するにあたっては、一方向（例えばＸ軸方向）の変数で足り、その意味では２次元データのＣＧ（３次元データの一を「０」として扱えばよい）であっても適用することができるものである。この場合のＣＧデータの体重増減形態への対応は、例えばキャラクタレベル特定テーブル３３にキャラクタカロリーの所定の範囲に対応した変数レベル値を設定しておき、３次元の座標を行列演算して変換後の座標データを求める一般的に知られているアフィン変換により実現することができる。
【００２９】
続いて、図４に、図１の利用者別カロリー記録部の説明図を示す。図４において、記憶部３２に記憶される利用者別カロリー記録部３６は、利用者毎に利用者ＩＤに関連付けて、カラオケシステム１１の歌唱日毎に、歌唱によって消費される消費カロリーが累積された累積消費カロリー（Ｋｃａｌ）、所定期間毎に設定された仮想の摂取カロリーに基づく経過期間における累積摂取カロリーと上記累積消費カロリーとにより所定タイミングで過去分を含めた増減カロリー（Ｋｃａｌ）が順次記録されたものである。ここでは、上述のように利用者が１日単位で３０Ｋｃａｌを仮想的に摂取する摂取カロリーとしている。
【００３０】
例えば、前回の歌唱日における過去分の前増減カロリー（変化キャラクタの登録時には当該前増減カロリーはゼロとなる）に、次の歌唱日までの日数に上記仮想の摂取カロリーを乗算した累積摂取カロリーが加算され、歌唱毎に消費された消費カロリーを累積した累積消費カロリーを減算したものが当該利用日の増減カロリーとなる。これらが歌唱日毎に利用者ＩＤに関連付けられた利用者別カロリー記録部３６に記録されるものである（演算処理は図７で説明する）。
【００３１】
次に、図５に図１のカラオケシステムにおける変化キャラクタのログイン時の処理フローチャートを示すと共に、図７にカロリー算出の説明図を示し、また、図８に変化キャラクタ表示の説明図を示す。図５において、まず、所定の利用者がカラオケシステム１１に対して、例えば遠隔入出力端末１７からＩＣカードによりログインすると、利用者ＩＤ取得手段１８が当該利用者の利用者ＩＤを取得して図示しないＲＡＭに記憶すると共に、カラオケ演奏装置１２に送出して、一旦ＲＡＭ２４に記憶させる（ステップ（Ｓ）１）。
【００３２】
増減カロリー算出手段２９では、利用者別カロリー記録部３６を参照して、当該利用者ＩＤにおける前回の歌唱日及び前増減カロリーを取得し（Ｓ２）、前回の歌唱日（ログアウト時）からログイン日までの日数を算出する（Ｓ３）。そして、図７（Ａ）に示すように、ＲＡＭ２４の作業メモリ領域で当該算出した日数より１日あたりの仮想の摂取カロリー（３０Ｋｃａｌ）を乗算して累積摂取カロリーを算出すると共に、当該累積摂取カロリーを利用者別カロリー記録部３６より取得した前増減カロリーに加算してログイン日カロリーを算出し、利用者別カロリー記録部３６に当該歌唱日をＩＤとして、上記算出したログイン日カロリーを新規に記録する（Ｓ４）。
【００３３】
例えば、図７（Ｂ）に示すように、ログイン日を２００７年４月２２日とし、図４における前回の歌唱日（利用日）を利用者別カロリー記録部３６の２００７年４月１８日とした場合、前回の歌唱日からの日数＝４日に１日あたりの仮想の摂取カロリー（３０Ｋｃａｌ）を乗算した累積摂取カロリー＝１２０Ｋｃａｌが算出され、前回の前増減カロリー＝１４０Ｋｃａｌと加算されたキャラクタカロリーが２６０Ｋｃａｌとなり、これがログイン日カロリーとなる。このログイン日カロリー＝２６０Ｋｃａｌに基づいて、キャラクタレベル特定テーブル３３を参照することで、レベル度＝レベル＋３が取得されるものである。
【００３４】
上記ログイン日カロリーに対応する変化キャラクタを自動的若しくは利用者からの要求に応じて表示する場合には、例えば、図８（Ａ）に示すように、利用日、前回の歌唱日、累積摂取カロリーを示すと共に、前回の前増減カロリー（１４０Ｋｃａｌ）に対応する表示キャラクタ（レベル＋１）を比較表示として、当該累積摂取カロリーが反映された表示キャラクタ（レベル＋３）が表示されるものである。
【００３５】
続いて、図６に、図１のカラオケシステムにおける歌唱による変化キャラクタ対応付けの処理フローチャートを示し、図７及び図８と共に説明する。図６は、増加カロリー算出のタイミングを所定数の歌唱毎とした場合である。図６において、所定の利用者のログイン後に歌唱が行われて終了すると（Ｓ１１）、増減カロリー算出手段２９が歌唱による消費カロリーを算出し（Ｓ１２）、当該消費カロリーをログイン日カロリーより減算して増減カロリーを算出し、利用者別カロリー記録部３６の当該日における累積消費カロリー及び増減カロリーを順次更新する（Ｓ１３）。すなわち、ログアウトまで歌唱毎の増減カロリーを算出して、その都度利用者別カロリー記録部３６の当該日における累積消費カロリー及び増減カロリーを順次更新するものである（図７（Ｃ））。
【００３６】
一方、利用者より変化キャラクタの表示要求があると（Ｓ１４）、利用者別カロリー記録部３６の当該歌唱日における増減カロリーに基づきキャラクタレベル特定テーブル３３を参照してレベルを取得し、利用者別キャラクタ登録部３５の当該利用者ＩＤに関連付けられて登録されたキャラクタＩＤに対応する当該レベルの変化キャラクタを変化キャラクタ記憶部３４より取得して表示部１３で表示する（Ｓ１５）。
【００３７】
例えば、図８（Ｂ）に示すように、これまでの歌唱による全消費カロリー（当該歌唱日における累積消費カロリーであり、例えば１７５Ｋｃａｌ）を示すと共に、歌唱前のログイン日カロリー（２６０ＫＣａｌ）に対応する表示キャラクタ（レベル＋３）を比較表示として、ログイン日カロリーに当該全消費カロリーが反映されたカロリー＝８５Ｋｃａｌの対応する表示キャラクタ（レベル＋１）が表示されるものである。
【００３８】
次に、図９に、図１のカラオケシステムにおける歌唱による変化キャラクタ対応付けの他の処理フローチャートを示す。図９は、増加カロリー算出のタイミングをログアウト時とした場合である。図９において、所定の利用者のログイン後に歌唱が行われて終了すると（Ｓ２１）、増減カロリー算出手段２９が歌唱による消費カロリーを算出して、一旦利用者ＩＤに関連付けてＲＡＭ２４に順次記憶する（Ｓ２２）。すなわち、ログアウト（Ｓ２５）まで歌唱毎の消費カロリーを算出して利用者ＩＤに関連付けてＲＡＭ２４に順次記憶するものである。
【００３９】
そこで、当該利用者よりログアウト要求があると（Ｓ２５）、増減カロリー算出手段２９が、ＲＡＭ２４に一旦記憶したこれまでの全歌唱による累積消費カロリーを算出すると共に、当該消費カロリーをログイン日カロリーより減算して増減カロリーを算出する（Ｓ２６）。そして、歌唱日、累積消費カロリー及び増減カロリーを当該利用者ＩＤにおける利用者別カロリー記録部３６に記録するものである（Ｓ２７）。
【００４０】
例えば、当該利用日の総ての歌唱による累積消費カロリー（例えば１７５Ｋｃａｌ）を算出し、当該累積消費カロリーをログイン日カロリー（２６０ＫＣａｌ）より減算して増減カロリーを算出して、歌唱日、累積消費カロリー及び増減カロリー（８５Ｋｃａｌ）を当該利用者ＩＤにおける利用者別カロリー記録部３６に記録するものである。
【００４１】
一方、変化キャラクタの表示が利用者より要求されると（Ｓ２３）、利用者別カロリー記録部３４に記録された当該歌唱日の増減カロリーに基づきキャラクタレベル特定テーブル３３を参照してレベルを取得し、利用者別キャラクタ登録部３５の当該利用者ＩＤに関連付けられて登録された変化キャラクタに対応する当該レベルの変化キャラクタを変化キャラクタ記憶部３４より取得して表示部１３で表示するものである（Ｓ２４）。
【００４２】
次に、図１０に、他の変化キャラクタ表示の説明図を示す。図１０（Ａ）、（Ｂ）は、変化キャラクタの表示を遠隔入出力端末１７における端末表示部１９の所定表示エリア２０に表示させたものである。例えば、所定の利用者がＩＣカードを提示してログイン要求し、ログインが完了したときに、図１０（Ａ）に示すように、ログイン完了の表示と共に、所定表示エリア２０に変化キャラクタを表示させるものである。また、図１０（Ｂ）に示すように、利用者の選曲時に、当該選曲で示される利用者ＩＤに基づいて所定表示エリア２０に変化キャラクタを表示させるものである。
【００４３】
このように、歌唱による累積消費カロリーに前回の利用日からの日数による累積摂取カロリーを反映させたキャラクタ自体を変化させて表示させることから、歌唱行為による健康増進の観点でキャラクタ表示させることができ、これによってカラオケ施設の利用喚起、歌唱喚起を図ることができるものである。
【００４４】
ところで、上記実施形態では、歌唱後の変化キャラクタの表示を、利用者からの表示要求があった場合に行う場合を示したが、当該利用者の歌唱毎に消費カロリーを反映させた変化キャラクタを自動的に表示させることとしてもよい。
【００４５】
また、上記実施形態では、利用者別カロリー記録部３６をカラオケ装置本体の記憶部３２に記録していたが、ネットワークを介して接続されるサーバーの適宜な場所に記録するようにしてもよい。この場合、利用者がログインする際に、当該利用者の利用者ＩＤに基づいてサーバー上の利用者別カロリー記録部３６をダウンロードさせたり、利用者がログオフする際に、カラオケ演奏装置１２にて更新された利用者別カロリー記録部３６をサーバーにアップロードさせてもよい。
【産業上の利用可能性】
【００４６】
本発明のキャラクタ表示機能を備えるカラオケシステムは、カラオケの基本的機能を備えるカラオケ装置の分野に利用可能である。
【図面の簡単な説明】
【００４７】
【図１】本発明に係るキャラクタ表示機能を備えるカラオケシステムのブロック構成図である。
【図２】図１のキャラクタレベル特定テーブルの説明図である。
【図３】図１の利用者別キャラクタ登録部の説明図である。
【図４】図１の利用者別カロリー記録部の説明図である。
【図５】図１のカラオケシステムにおける変化キャラクタのログイン時の処理フローチャートである。
【図６】図１のカラオケシステムにおける歌唱による変化キャラクタ対応付けの処理フローチャートである。
【図７】図５及び図６におけるカロリー算出の説明図である。
【図８】変化キャラクタ表示の説明図である。
【図９】図１のカラオケシステムにおける歌唱による変化キャラクタ対応付けの他の処理フローチャートである。
【図１０】他の変化キャラクタ表示形態の説明図である。
【符号の説明】
【００４８】
１１            カラオケシステム
１２            カラオケ演奏装置
１３            表示部
１７            遠隔入出力端末
１８            利用者ＩＤ取得手段
１９            端末表示部
２９            増減カロリー算出手段
３１            変化キャラクタ対応付処理手段
３３            キャラクタレベル特定テーブル
３４            変化キャラクタ記憶部
３５            利用者別キャラクタ登録部
３６            利用者別カロリー記録部
【図１】
0004969339.tif 000002
【図２】
0004969339.tif 000003
【図３】
0004969339.tif 000004
【図４】
0004969339.tif 000005
【図５】
0004969339.tif 000006
【図６】
0004969339.tif 000007
【図７】
0004969339.tif 000008
【図８】
0004969339.tif 000009
【図９】
0004969339.tif 000010
【図１０】
0004969339.tif 000011